(57)【要約】【課題】  床重量の増加を抑制できると共に、コストダウンを図れるようにする。【解決手段】  成形された複数の床版部材Ｆを、隣接する梁２にわたって並べて架設して床１を形成してある床構造において、梁２の長手方向に沿って間隔をあけた状態に第一床版部材Ｆ１が架設され、隣接する第一床版部材Ｆ１にわたって第二床版部材Ｆ２が架設されている。【選択図】        図１
2006336403.tif 000002
【特許請求の範囲】
【請求項１】
成形された複数の床版部材を、隣接する梁にわたって並べて架設して床を形成してある床構造であって、
前記梁の長手方向に沿って間隔をあけた状態に第一床版部材が架設され、隣接する第一床版部材にわたって第二床版部材が架設されている床構造。
【請求項２】
前記第一床版部材は、ハーフプレキャスト部材を基材として構成されている請求項１に記載の床構造。
【請求項３】
前記第二床版部材は、デッキプレート部材を基材として構成されている請求項１又は２に記載の床構造。
【請求項４】
前記第二床版部材は、その厚み寸法が前記第一床版部材の厚み寸法より小さく設定してある請求項１〜３の何れか一項に記載の床構造。
【発明の詳細な説明】
【技術分野】
【０００１】
本発明は、成形された複数の床版部材を、隣接する梁にわたって並べて架設して床を形成してある床構造に関する。
【背景技術】
【０００２】
従来、この種の床構造の一例（以後、単に第一従来例と言う）としては、図４に示すように、間隔をあけて並設された隣接する梁２（例えば、Ｈ形鋼）にわたって、ハーフプレキャスト部材４として構成された床版部材Ｆを隙間の無い状態に並べて架設して、その上に配筋及びコンクリート打設を行って床１を構成してあるもの（例えば、特許文献１、特許文献２参照）があった。
また、他の例（以後、単に第二従来例と言う）としては、図５に示すように、間隔をあけて並設された隣接する梁２（例えば、Ｈ形鋼）にわたって、デッキプレート５からなる床版部材Ｆを隙間の無い状態に並べて架設して、その上に配筋及びコンクリート打設を行って床１を構成してあるもの（例えば、特許文献２参照）があった。
【０００３】
【特許文献１】特開平７−２０７７９６号公報（図２，図３）
【特許文献２】特開平７−１３３６４２号公報（図１，図２，図３）
【発明の開示】
【発明が解決しようとする課題】
【０００４】
上述した従来の床構造の第一従来例によれば、ハーフプレキャスト部材の床版部材を敷き並べるから床重量が大きくなり易く、それを支持する為に梁や柱も大断面の高強度のものが必要となる。その結果、コストアップにつながるという問題がある。
また、前記第二従来例によれば、デッキプレートの耐火性能の弱点を補填するためにスパンを出来るだけ小さくできる架構を設定する必要があり、その結果、図５に示すように、梁２のみならず、梁間に多数の小梁２ａを設置してそれら小梁Ｂａ間にデッキプレート５を架設することとなり、建物全体とした鋼材量が多くなり易く、やはりコストアップにつながる問題点がある。
【０００５】
従って、本発明の目的は、上記問題点を解消し、床重量の増加を抑制できると共に、コストダウンを図れる床構造を提供するところにある。
【課題を解決するための手段】
【０００６】
本発明の第１の特徴構成は、成形された複数の床版部材を、隣接する梁にわたって並べて架設して床を形成してある床構造において、前記梁の長手方向に沿って間隔をあけた状態に第一床版部材が架設され、隣接する第一床版部材にわたって第二床版部材が架設されているところにある。
【０００７】
本発明の第１の特徴構成によれば、第一床版部材は、床版部材としての機能を果たしながら、第二床版部材を受けるという小梁としての機能をも発揮することが可能となる。従って、従来のように小梁を設置しなくても、第二床版部材のスパンを小さく抑制した架構を構成することが可能となる。
その結果、第二床版部材としては厚みを薄くした設計が可能となり、全面厚肉の床版部材を使用する従来例に比べて、床重量の軽量化を図れると共に、床裏空間をより広く確保することができ、設備配管スペース等に有効利用することが可能となる。
また、多量の鋼材を使用する必要が無くなることや、床重量の軽減化による梁や柱の小型化が可能となることで、建物全体としたコストダウンを図ることが可能となる。
【０００８】
本発明の第２の特徴構成は、第一床版部材は、ハーフプレキャスト部材を基材として構成されているところにある。
【０００９】
本発明の第２の特徴構成によれば、本発明の第１の特徴構成による上述の作用効果を叶えることができるのに加えて、プレキャスト部材の長所である低価格・高品質を維持できながら、各床版部材にわたって現場打ちのコンクリートを打設して一体化を図るから、床の一体性をより向上させることが可能となる。
更には、各部材単位では、フルプレキャストのものに比べて軽いから、取扱性が良好で、床の形成作業の効率向上を図ることが可能となる。
即ち、品質の良好な床構造を、経済的に且つ短期間に提供することが可能となる。
【００１０】
本発明の第３の特徴構成は、前記第二床版部材は、デッキプレート部材を基材として構成されているところにある。
【００１１】
本発明の第３の特徴構成によれば、本発明の第１又は２の特徴構成による上述の作用効果を叶えることができるのに加えて、デッキプレート部材は、軽量で強度が高く、且つ、極めて入手容易な材料であるから、より品質の高い床を、より安価に提供することが可能となる。
【００１２】
本発明の第４の特徴構成は、前記第二床版部材は、その厚み寸法が前記第一床版部材の厚み寸法より小さく設定してあるところにある。
【００１３】
本発明の第４の特徴構成によれば、本発明の第１〜３の何れかの特徴構成による上述の作用効果を叶えることができるのに加えて、第二床版部材の下方に自由空間を確保することが可能となり、この空間に配管や配線等の設備部材を設置して、床下空間をより有効に利用することができるようになる。
【発明を実施するための最良の形態】
【００１４】
以下に本発明の実施の形態を図面に基づいて説明する。尚、図面において従来例と同一の符号で表示した部分は、同一又は相当の部分を示している。
【００１５】
図１は、本発明の床構造の一実施形態を示すもので、床１は、成形された複数の床版部材Ｆを、隣接する梁２にわたって並べて架設して構成されている。
そして、梁２は、建物平面での外周の一辺に沿う状態に所定ピッチで並設された鉄骨製の大梁２Ａと、それら大梁２Ａどうしの隣接端部にわたる状態に設けられた鉄骨製の大梁２Ｂとで構成されている。また、各大梁は、柱３によって支持されている。
【００１６】
前記床版部材Ｆは、前記大梁２Ａの長手方向に間隔をあけると共に隣接する大梁２Ａにわたる状態に架設された第一床版部材Ｆ１と、それら隣接する第一床版部材Ｆ１にわたる状態で第一床版部材Ｆ１間の空間を埋める状態に架設された第二床版部材Ｆ２とを備えて構成されている。
前記第一床版部材Ｆ１は、図２に示すように、鉄筋コンクリート製のハーフプレキャスト部材４を基材として構成され、前記第二床版部材Ｆ２は、金属製のデッキプレート部材５を基材として構成されている。
【００１７】
第一床版部材Ｆ１のハーフプレキャスト部材４は、側縁部の全長（又はほぼ全長）に前記デッキプレート部材５を載置状態に設置するための切欠き部４ａが設けられており、更には、この切欠き部４ａの立て壁部分は、図に示すように、傾斜面４ｂとして仕上げてあり、前記デッキプレート部材５を設置しやすくすると共に、傾斜面４ｂに誘導されることでデッキプレート部材５を所定位置に安定配置させることが可能となる。
そして、図２に示すように、前記大梁２Ａ上にハーフプレキャスト部材４を設置した後、ハーフプレキャスト部材４の前記切欠き部４ａにデッキプレート部材５の端部を設置し、ハーフプレキャスト部材４やデッキプレート部材５上の空間に床用鉄筋６を配置してコンクリート７を打設することで一体の床１を形成することができる。
【００１８】
また、第二床版部材Ｆ２は、第一床版部材Ｆ１に比べてスパンが短い分、厚みを薄く設定することができ、本実施形態においても、図に見られるように、第二床版部材Ｆ２の厚み寸法ｄ２が前記第一床版部材Ｆ１の厚み寸法ｄ１より小さく設定されている。
従って、大梁２Ａ上面と、第二床版部材Ｆ２の下面との間には空間Ｖ１が形成されることとなり、この空間Ｖ１は、例えば、設備配線や設備配管等を配置させることに利用でき、床下空間での設備工事をより効率よく実施することが可能となる。
一方、大梁２Ａ、２Ｂに関しても、図２（ロ）に示すように、応力の小さい箇所に関して梁成を小さくする所謂『ドロップハンチ』を形成すれば、上述の場合と同様に、設備配線や設備配管、更には、ダクト等を配置できる空間Ｖ２が確保でき、床下空間を効率よく利用することが可能となる。
【００１９】
本実施形態の床構造によれば、梁等に比べて厚みの薄い床版部材を効果的に組み合わせて配置することで、鋼材使用量を少なくできることによるコストメリットに加え、床全体の軽量化を図ることができるから、それを支持する架構そのものを経済設計することが可能となり、建物全体としたコストダウンを図ることが可能となる。
更には、高さ寸法を抑えた床構造を実現できるようになり、室内空間の必要高さを余裕を持って確保することが可能となる。
【００２０】
〔別実施形態〕
以下に他の実施の形態を説明する。
【００２１】
〈１〉  前記第一床版部材Ｆ１は、先の実施形態で説明したハーフプレキャスト部材４で構成してあるものに限るものではなく、例えば、図３に示すように、フルプレキャスト部材８で構成してあってもよい。それらを含めて第一床版部材と総称する。また、第二床版部材Ｆ２を載置する切欠き部４ａの立て壁部分を傾斜面４ｂに形成することに限らず、垂直面であってもよい。また、切欠き部４ａそのものを設けない構成であってもよい。
〈２〉  前記第二床版部材Ｆ２は、先の実施形態で説明したデッキプレート部材５で構成してあるものに限るものではなく、例えば、ハーフプレキャスト部材やフルプレキャスト部材８（図３参照）で構成してあってもよく、それらを含めて第二床版部材と総称する。
〈３〉  前記梁２は、先の実施形態で説明した鉄骨製のものに限るものではなく、例えば、鉄筋コンクリート製のものや、鉄骨鉄筋コンクリート製であってもよく、また、現場において形成するものや、ハーフプレキャストやフルプレキャストによるものであってもよい。
【００２２】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２３】
【図１】床の平面図
【図２】床の要部を示す側面視断面図
【図３】別実施形態の床の要部を示す側面視断面図
【図４】従来の床の要部を示す側面視断面図
【図５】従来の床の要部を示す側面視断面図
【符号の説明】
【００２４】
１      床
２      梁
４      ハーフプレキャスト部材
５      デッキプレート部材
ｄ１    第一床版部材の厚み寸法
ｄ２    第二床版部材の厚み寸法
Ｆ      床版部材
Ｆ１    第一床版部材
Ｆ２    第二床版部材
【図１】
2006336403.tif 000003
【図２】
2006336403.tif 000004
【図３】
2006336403.tif 000005
【図４】
2006336403.tif 000006
【図５】
2006336403.tif 000007